(57)【要約】【課題】戸車を備えた引戸を対象として、引戸の全幅に亘って隙間を封鎖し得る隙間封鎖装置を提供する。【解決手段】引戸２の下端面に形成された溝に対して嵌合支持されるとともに、下側に開口する略コ字状断面を成し引戸幅に相当する長さ寸法を有する外ケース４と、この外ケース４の内部に嵌合されるとともに、略Ｈ状断面を成し引戸幅に相当する長さ寸法を有し、かつ両側壁の下端にタイト材８を備える内ケース５と、前記外ケース４の内部上面に部材長手方向に沿ってスライド可能に保持されたスライド板６と、このスライド板６に連結されるとともに、先端が引戸側面よりも突出させた状態で外側に付勢保持された作動ピン７と、前記外ケース４内の両端部に夫々配置された戸車３，３とからなり、引戸２の閉操作に伴い前記作動ピン７が没入すると、内ケース５が下降して引戸下端と床面との間の隙間を封鎖する。引戸２の開操作に伴い前記内ケース５が上昇する。【選択図】図５
2010180527.tif 000002
【特許請求の範囲】
【請求項１】
引戸の下端面に形成された溝に対して嵌合支持されるとともに、下側に開口する略コ字状断面を成し引戸幅に相当する長さ寸法を有する外ケースと、この外ケースの内部に嵌合されるとともに、略Ｈ状断面を成し引戸幅に相当する長さ寸法を有し、かつ両側壁の下端にタイト材を備える内ケースと、前記外ケースの内部上面に部材長手方向に沿ってスライド可能に保持されたスライド板と、このスライド板に連結されるとともに、先端が引戸側面よりも突出させた状態で外側に付勢保持された作動ピンと、前記外ケース内の両端部に夫々配置された戸車とからなり、
中間部において、前記外ケースの両側壁に水平方向に長い第１長孔を形成するとともに、前記内ケースの両側壁に前記第１長孔に交差するとともに、傾斜方向に長い第２長孔を形成し、前記スライド板にブロックを設けるとともに、該ブロックの側面に設けた軸部を前記第１長孔と第２長孔との交差部に係合させ、引戸の閉操作に伴い前記作動ピンが戸枠に当接し没入することにより前記スライド板がスライドし、前記軸部が第１長孔に沿って移動するとともに、第２長孔が軸部によってガイドされることによって前記内ケースが下降して引戸下端と床面との間の隙間を封鎖し、前記引戸の開操作に伴い作動ピンが元の突出状態に復帰することにより逆動作によって前記内ケースが上昇するようにしたことを特徴とする引戸の隙間封鎖装置。
【請求項２】
前記外ケースの端部より戸車設置スペースを空けた位置に押え部材を配設し、この押え部材と前記作動ピンとの間にバネを介在させることにより前記作動ピンが付勢保持されている請求項１記載の引戸の隙間封鎖装置。
【請求項３】
前記押え部材に係合させた状態で前記戸車が配設されている請求項１，２いずれかに記載の引戸の隙間封鎖装置。
【発明の詳細な説明】
【技術分野】
【０００１】
本発明は、戸車を備えた引戸において、戸閉止時に引戸下端と床面との隙間を封鎖するための隙間閉鎖装置に関する。
【背景技術】
【０００２】
戸を閉めた状態で、戸の下端と床面との間に隙間が生じていると、室内外で空気の流通が起きたり、室内の音が外に洩れてしまうなどの問題が発生する。そこで、戸を閉めた際、自動的に戸の下端に設置してある隙間封鎖具が下降し、戸の床との間の隙間を封鎖する隙間封鎖装置が種々提案されている。
【０００３】
例えば、下記特許文献１では、本体の枠部内に、傾斜面を有する操作片を下面に形成した摺動杆を横摺動可能にスプリングを介して挿入し、ラッチボルトを上記枠部内に挿入して摺動杆に接触させ、下端にクッション体を有する閉鎖体を、その垂直板を本体のガイド板間に挿入し、垂直板を設けた傾斜面を有する欠切部に上記操作片を嵌合させてピンとスプリングによって本体に上下動可能に取り付けた扉の下部閉鎖装置が開示されている。
【０００４】
また、下記特許文献２には、ドア下端部に取り付けた本体フレーム内に装着した可動プレートが中央部分にスプリングを介したプッシュロッドの先端をドア枠に押し当てられることによりスプリングが湾曲し軸により軸着した上記可動プレートが下方に押し下げられ床面に密着させることのできる防音気密装置が開示されている。
【０００５】
下記特許文献３には、間仕切パネルに水平方向に移動可能に支持された作動杆の先端にネジを刻設して調節部材を螺合し、その調節部材を間仕切パネルの召合せ框からパネル召合せ方向に突出し、その調節部材を水平方向に押圧して間仕切パネルと天井面と隙間及び間仕切パネルと床面との隙間のいずれかを埋める隙間防止装置において、調節部材を軸方向にのみ移動可能とする係合孔を備えた回動防止部材を召合せ框に取着し、その係合孔から調節部材を突出させた間仕切パネルの隙間防止装置が開示されている。
【０００６】
下記特許文献４には、引き戸の下部に設けた固定フレ−ム内に可動フレームが上下動可能に収納され、可動フレームの下端部に床面と接離する可撓性遮断部材が設けられ、引き戸の閉鎖操作時に操作レバーの第２入力アームが床面に設置した開閉センサ−ピンに押されることによって、可動フレームが下降方向に駆動され、引き戸の開放操作時に操作レバーの第１入力アームが開閉センサーピンに押されることによって、可動フレームが上昇方向に駆動されるようにした引き戸の下部隙間閉塞装置が開示されている。
【０００７】
下記特許文献５には、出入口の上部に設けた左右方向のレールに対して移動可能に支持される引き戸の下部に、下向きに開口する、引き戸のスライド方向に延びるガイド溝を設け、このガイド溝内に、下縁が床面に密着する、ガイド溝の長さ方向のシール部材を昇降自在に支持し、このシール部材の外面と前記ガイド溝の内面との間に、引き戸のスライド方向に移動可能なスライド部材を設け、このスライド部材を、ガイド溝内に設けられた押圧部材によって戸先側へ付勢し、前記床面には、引き戸の開放位置に、上部がガイド溝内に突き出すガイドピンを突設し、前記シール部材に、ガイド溝内に上下方向に揺動自在に支持されたアームの先端部を連結し、このアームの戸尻側に、前記ガイドピンに対して引き戸を閉じる際に先端部が当接する係合部材を、上下方向に揺動自在に支持し、この係合部材と前記アームとのそれぞれには、スライド部材と引き戸との相対的な移動をシール部材の上下動に変換するカム部が形成されている引き戸のシール装置が開示されている。
【先行技術文献】
【特許文献】
【０００８】
【特許文献１】実開昭５４−８２４３９号公報
【特許文献２】実開昭５５−１３７２９号公報
【特許文献３】実開平１−１７０７９２号公報
【特許文献４】特開平９−１７７４４６号公報
【特許文献５】特開平１１−９３５４１号公報
【発明の概要】
【発明が解決しようとする課題】
【０００９】
しかしながら、上記特許文献１、２に係る隙間閉鎖装置等は、開き扉を対象とするものであり、上記特許文献３に係る隙間防止装置は間仕切パネルを対象とするものである。また、上記特許文献４に係る下部隙間閉塞装置及びシール装置は引戸を対象としているが、引戸の内、吊戸を対象としているものである。
【００１０】
従来の隙間封鎖装置類は、開き扉、間仕切り戸、吊戸など戸車を有しない扉、戸を対象とするものであり、戸車を備えた引戸を対象として、隙間封鎖構造を提供するものは見当たらない。戸車を引戸下面に備える場合、戸車を避けて隙間封鎖装置を設置したのでは、僅かでも空気の流通が生じてしまう、音が洩れてしまうなどの問題が生じるため、戸車配設部位を含めて引戸の全幅に亘って隙間を封鎖し得るようにした隙間封鎖装置が望まれていた。
【００１１】
そこで本発明の主たる課題は、戸車を備えた引戸を対象として、引戸の全幅に亘って隙間を封鎖し得るようにした隙間封鎖装置を提供することにある。
【課題を解決するための手段】
【００１２】
前記課題を解決するために請求項１に係る本発明として、引戸の下端面に形成された溝に対して嵌合支持されるとともに、下側に開口する略コ字状断面を成し引戸幅に相当する長さ寸法を有する外ケースと、この外ケースの内部に嵌合されるとともに、略Ｈ状断面を成し引戸幅に相当する長さ寸法を有し、かつ両側壁の下端にタイト材を備える内ケースと、前記外ケースの内部上面に部材長手方向に沿ってスライド可能に保持されたスライド板と、このスライド板に連結されるとともに、先端が引戸側面よりも突出させた状態で外側に付勢保持された作動ピンと、前記外ケース内の両端部に夫々配置された戸車とからなり、
前記外ケースの中間部において両側壁に水平方向に長い第１長孔を形成するとともに、前記内ケースの両側壁に前記第１長孔に交差するとともに、傾斜方向に長い第２長孔を形成し、前記スライド板にブロックを設けるとともに、該ブロックの側面に設けた軸部を前記第１長孔と第２長孔との交差部に係合させ、引戸の閉操作に伴い前記作動ピンが戸枠に当接し没入することにより前記スライド板がスライドし、前記軸部が第１長孔に沿って移動するとともに、第２長孔が軸部によってガイドされることによって前記内ケースが下降して引戸下端と床面との間の隙間を封鎖し、前記引戸の開操作に伴い作動ピンが元の突出状態に復帰することにより逆動作によって前記内ケースが上昇するようにしたことを特徴とする引戸の隙間封鎖装置が提供される。
【００１３】
上記請求項１記載の発明では、外ケース及び内ケースは共に引戸幅に相当する長さ寸法を有し、外ケース内の両端部に夫々戸車が配設されている。また、外ケースの内部上面に部材長手方向に沿ってスライド可能に保持されたスライド板を備えるとともに、このスライド板に連結されるとともに、先端を引戸側面よりも突出させた状態で外側に付勢保持された作動ピンを備える。
【００１４】
そして、中間部において、前記外ケースの両側壁に水平方向に長い第１長孔を形成するとともに、前記内ケースの両側壁に前記第１長孔に交差するとともに、傾斜方向に長い第２長孔を形成し、前記スライド板にブロックを設けるとともに、該ブロックの側面に設けた軸部を前記第１長孔と第２長孔との交差部に係合させてある。
【００１５】
従って、引戸の閉操作に伴い前記作動ピンが戸枠に当接し没入することにより前記スライド板がスライドし、前記軸部が第１長孔に沿って移動するとともに、第２長孔が軸部によってガイドされることによって前記内ケースが下降して引戸下端と床面との間の隙間を封鎖することができ、前記引戸の開操作に伴い作動ピンが元の突出状態に復帰することにより逆動作によって前記内ケースが上昇するようになる。
【００１６】
上記構造とすることにより、戸車が存在する引戸であっても、引戸全幅に亘って引戸下端と床面との間の隙間を封鎖することが可能となる。
【００１７】
請求項２に係る本発明として、前記外ケースの端部より戸車設置スペースを空けた位置に押え部材を配設し、この押え部材と前記作動ピンとの間にバネを介在させることにより前記作動ピンが付勢保持されている請求項１記載の引戸の隙間封鎖装置が提供される。
【００１８】
請求項３に係る本発明として、前記押え部材に係合させた状態で前記戸車が配設されている請求項１，２いずれかに記載の引戸の隙間封鎖装置が提供される。
【発明の効果】
【００１９】
以上詳説のとおり本発明によれば、戸車を備えた引戸を対象として、引戸の全幅に亘って隙間を封鎖し得るようになる。
【図面の簡単な説明】
【００２０】
【図１】引戸２及び戸枠の水平断面図である。
【図２】引戸下端部の要部縦断面図である。
【図３】隙間封鎖装置１の斜視図である。
【図４】その側面図である。
【図５】その要部拡大側面図である。
【図６】隙間封鎖装置１の半断面斜視図である。
【図７】引戸閉操作時における引戸下端と床面との間の隙間封鎖作動状態を示す引戸下端部の要部拡大側面図である。
【図８】隙間封鎖装置１の断面図である。
【図９】外ケース４の横断面図である。
【図１０】外ケース４を示す、(A)は平面図、(B)は縦断面図である。
【図１１】内ケース５の横断面図である。
【図１２】内ケース５を示す、(A)は平面図、(B)は縦断面図である。
【図１３】スライド板６を示す、(A)は側面図、(B)は平面図である。
【図１４】押え部材１１を示す、(A)は側面図、(B)は正面図である。
【発明を実施するための形態】
【００２１】
以下、本発明の実施の形態について図面を参照しながら詳述する。
【００２２】
図１は、引戸２及び戸枠の水平断面図、図２は引戸下端部の要部縦断面図、図３は隙間封鎖装置１の斜視図、図４はその側面図、図５はその要部拡大側面図、図６は隙間封鎖装置１の半断面斜視図である。
【００２３】
図１に示される引戸２は、下面両側に夫々戸車３，３を備えた片引き戸の例であり、図２に示されるように、引戸下面と床面との間に隙間Ｓが生じているため、引戸２を閉めた際に、引戸下面に設けた本隙間封鎖装置１によって前記隙間Ｓを引戸全幅に亘って封鎖するようにしたものである。
【００２４】
前記隙間封鎖装置１は、引戸２の下端面に形成された溝に対して嵌合支持されるとともに、下側に開口する略コ字状断面を成し引戸幅に相当する長さ寸法を有する外ケース４と、この外ケース４の内部に嵌合されるとともに、略Ｈ状断面を成し引戸幅に相当する長さ寸法を有し、かつ両側壁の下端にタイト材を備える内ケース５と、前記外ケース４の内部上面に部材長手方向に沿ってスライド可能に保持されたスライド板６と、このスライド板６に連結されるとともに、先端が引戸側面よりも突出させた状態で外側に付勢保持された作動ピン７と、前記外ケース４内の両端部に夫々配置された戸車３，３とからなり、
前記外ケース４の両側壁に水平方向に長い第１長孔４ａを形成するとともに、前記内ケース５の両側壁に前記第１長孔４ａに交差するとともに、傾斜方向に長い第２長孔５ａを形成し、前記スライド板６の中間にブロック９を設けるとともに、該ブロック９の側面に設けた軸部１０を前記第１長孔４ａと第２長孔５ａとの交差部に係合させ、引戸２の閉操作に伴い前記作動ピン７が戸枠に当接し没入することにより前記スライド板６がスライドし、前記軸部１０が第１長孔４ａに沿って移動するとともに、第２長孔５ａが軸部１０によってガイドされることによって前記内ケース５が下降して引戸下端と床面との間の隙間を封鎖し、前記引戸２の開操作に伴い作動ピン７が元の突出状態に復帰することにより逆動作によって前記内ケース５が上昇するようにしたものである。
【００２５】
以下、更に前記隙間封鎖装置１について具体的に詳述する。
【００２６】
前記外ケース４は、詳細には図９に示されるように、下側に開口する略コ字状断面を成し、引戸幅に相当する長さ寸法を有する部材である。側壁内面の上部には、それぞれ水平突片４ｂ、４ｂが形成されており、上面と前記水平突片４ｂ、４ｂとの間の空間が後述するスライド板６の設置空間となっている。図１０に示されるように、両側壁の中間２箇所に水平方向に長い第１長孔４ａ、４ａが形成されている。また、上面の両端に位置する孔４ｃ、４ｃは外ケース４を引戸２の下端面に形成された溝に対して嵌合支持する際のビス孔であり、その外側に位置する孔４ｄ、４ｄは後述する押え部材１１を固定するためのビス孔である。
【００２７】
前記内ケース５は、詳細には図１１に示されるように、略Ｈ状断面を成すとともに、引戸幅に相当する長さ寸法を有し、両側壁の下端にタイト材８，８を備える部材である。前記タイト材８としては、ゴム、樹脂又はフェルト等を好適に用いることができる。前記内ケース５は、図８に示されるように、前記外ケース４の内部に嵌合される。水平フランジは、図１２に示されるように、戸車３、３を設置するために両端部分で切断除去され、両側壁の中間２箇所には前記第１長孔４ａ、４ａに交差するとともに、傾斜方向に長い第２長孔５ａ、５ａが形成されている。
【００２８】
前記スライド板６は、図１３に示されるように、細長い板状部材とされ、前記外ケース４のスライド板設置空間に嵌合挿入される。片側端部はＬ字に屈曲され後述する作動ピン７に連結されるようになっている。このＬ字屈曲部の近傍には、外ケース４及び押え部材１１を固定しているビスがスライドする際に干渉しないように、矩形状の開口６ａが形成されている。また、中間及び先端に設けられたビス孔６ｂ、６ｂは、ブロック９を固定するためのものである。
【００２９】
前記外ケース４の端部より戸車設置スペースを空けた位置には押え部材１１が配設されている。この押え部材１１は、図１４に示されるように、上部側にバネ押え孔部１１Ａを有するとともに、下部側に戸車３の背面ボス３ａが嵌合される戸車押え孔部１１Ｂを有する部材であり、図５に示されるように、外ケース４を引戸２に固定するビス２０及び外ケース４の外側から螺入させたビス２１によって外ケース４に固定されるようになっている。なお、前記戸車３は、図５に示されるように、前記背面ボス３ａを戸車押え孔部１１Ｂに嵌合させるとともに、正面壁の上部に螺入されるビス２２によって引戸に固定されるようになっている。
【００３０】
前記作動ピン７は、図５に示されるように、先端側当接部７Ａと、この先端側当接部の背面に螺合されたネジ軸７Ｂとからなり、このネジ軸７Ｂにスライド板６のＬ字屈曲部が係合し、ネジ軸７Ｂに螺合させたナットによって締結されている。前記押え部材１１と前記作動ピン７との間にバネ１２を介在させることにより、前記作動ピン７が引戸側面よりも先端を突出させた状態で付勢保持されている。この作動ピン７の配設位置は、図示されるように、戸車本体３Ａの上部とされ、戸車３の前面壁３Ｂを貫通するように設けられている。
【００３１】
組み立ては、先ず、前記外ケース４に内部上面に前記スライド板６がスライド可能に挿入設置される。このスライド板６にはブロック９がビス２３，２３によって固定されるとともに、作動ピン７が連結されている。次いで、バネ１２を介在させた状態で前記押え部材１１がビス２１によって外ケース４に固定される。そして、内ケース５を外ケース４内に嵌合させるとともに、外ケース４に形成した第１長孔４ａ、４ａと、内ケース５に形成した第２長孔５ａ、５ａとの交差部を貫通させるようにしながら、ブロック９に軸部１０を挿入して内ケース４を保持する。最後に、外ケース５の両端部において、戸車３の背面ボス３ａを押え部材１１の戸車押え孔部１１Ｂに嵌合させるとともに、作動ピン７を正面壁３Ｂの孔部を貫通させるようにしながら戸車３，３を設置する。以上の要領によって隙間封鎖装置１の組み立てを完了したならば、引戸２の下端面に形成された溝Ｋに嵌合し、ビス２０によって固定するとともに、戸車正面壁３Ｂからビス２２を螺入し固定を図る。
【００３２】
上記隙間封鎖装置１においては、図７に示されるように、引戸２の閉操作に伴い前記作動ピン７が戸枠に当接し没入することにより前記スライド板６がスライドし、前記軸部１０が第１長孔４ａに沿って移動するとともに、第２長孔５ａが軸部１０によってガイドされることによって前記内ケース５が下降して引戸下端と床面との間の隙間を封鎖するようになる。
【００３３】
また、前記引戸２の開操作に伴い作動ピン７の元の突出状態に復帰することにより逆動作によって前記内ケース５が上昇するようになる。
【符号の説明】
【００３４】
１…隙間封鎖装置、２…引戸、３…戸車、４…外ケース、４ａ…第１長孔、５…内ケース、５ａ…第２長孔、６…スライド板、７…作動ピン、８…タイト材、９…ブロック、１０…軸部、１１…押え部材、１２…バネ
【図１】
2010180527.tif 000003
【図２】
2010180527.tif 000004
【図３】
2010180527.tif 000005
【図４】
2010180527.tif 000006
【図５】
2010180527.tif 000007
【図６】
2010180527.tif 000008
【図７】
2010180527.tif 000009
【図８】
2010180527.tif 000010
【図９】
2010180527.tif 000011
【図１０】
2010180527.tif 000012
【図１１】
2010180527.tif 000013
【図１２】
2010180527.tif 000014
【図１３】
2010180527.tif 000015
【図１４】
2010180527.tif 000016